(57)【要約】【課題】通気性免震フロアに関し、特に空調用送風を通気性床材表面より吐出するように構成し、天井の空調吹出口や天井裏のダクトが不要となり、コストを低減し、空間を広く利用することができ、床面からの吹出しとなるので従来のような空調時の強い空気流を感じることがなく、また、配線ケーブル等を床下へ収納することができる通気性免震フロアを提供する。【解決手段】角パイプ３０を升目状に組み合わせて構成した角パイプベース枠体又は軽量形鋼を連結して構成した軽量形鋼ベース枠体に空洞付きパンチングプレート２０を取り付けて固定し、パンチングプレート２０の上面に通気性床材１０を敷設し、角パイプ３０又は軽量形鋼の空洞部２１及びパンチングプレート２０の空洞部２１に空調用送風を接続し、双方の通気孔３１より空調用送風を可能とし、該空調用送風を通気性床材１０の表面より吐出するように構成する。【選択図】図１
0003218981.tif 000002
【実用新案登録請求の範囲】
【請求項１】
角パイプ又は軽量形鋼を升目状に組み合わせて構成した角パイプベース枠体又は軽量形鋼ベース枠体に空洞付きパンチングプレートを取り付けて固定し、該パンチングプレートの上面に通気性床材を敷設し、角パイプの空洞部又は軽量形鋼空洞部及びパンチングプレートの空洞部に空調用送風を接続し、双方の通気孔より空調用送風を可能とし、該空調用送風を通気性床材表面より吐出するように構成したことを特徴とする通気性免震フロア。
【請求項２】
角パイプベース枠体又は軽量形鋼ベース枠体を保持プレートで保持し、該保持プレートが支持脚によって支持され、該保持プレートと該支持脚との間に免震ユニットが配置されていることを特徴とする請求項１記載の通気性免震フロア。
【請求項３】
交差する角パイプの双方に切欠部が形成され、該切欠部が相互に組合わされて角パイプベース枠体を構成したことを特徴とする請求項１記載の通気性免震フロア。
【請求項４】
軽量形鋼ベース枠体が連結部材によって連結された軽量形鋼で構成されていることを特徴とする請求項１記載の通気性免震フロア。
【請求項５】
角パイプを升目状に組み合わせて構成した角パイプベース枠体及び空洞付きパンチングプレートを鋼製又は軽金属又はプラスチック又は木製で構成したことを特徴とする請求項１記載の通気性免震フロア。
【請求項６】
パンチングプレートコーナー部に固定座金を嵌着して固定ネジを角パイプに締めつけることにより、隣接する空洞付きパンチングプレートを相互に係止するように構成したことを特徴とする請求項１記載の通気性免震フロア。
【請求項７】
角パイプ又は軽量形鋼を升目状に組み合わせて構成した角パイプベース枠体又は軽量形鋼ベース枠体に穴付きベニヤ板を取り付けて固定し、該穴付きベニヤ板の上面に通気性床材を敷設し、角パイプの空洞部又は軽量形鋼空洞部に空調用送風を接続し、穴付きベニヤ板の通気孔より空調用送風を可能とし、該空調用送風を通気性床材表面より吐出するように構成したことを特徴とする通気性免震フロア。
【考案の詳細な説明】
【技術分野】
【０００１】  本考案は通気性免震フロアに関し、特に空調用送風を通気性床材表面より吐出するように構成し、天井の空調吹出口や天井裏のダクトが不要となり、コストを低減し、空間を広く利用することができ、床面からの吹出しとなるので従来のような空調時の強い空気流を感じることがなく、また、配線ケーブル等を床下へ収納することができる通気性免震フロアに関するものである。
【背景技術】
【０００２】  従来、二重床を用いて、上床を形成する脚部間を空調用の通気路として上床より空気を吹き出す通気フロアが開発されており、材質の軽量化、運搬、施工性等を改善するために合成樹脂で上床板部と下方に向かって突設した脚部を有するユニットが提案されている。
【先行技術文献】
【特許文献】
【０００３】
【特許文献１】特開２０１３−８３１０５号公報
【考案の概要】
【考案が解決しようとする課題】
【０００４】  本考案の通気性免震フロアの課題は、免震機能を有すると共に空調用空気を部屋全体にムラなく送出できるように構成する通気性免震フロアを提供することである。
【課題を解決するための手段】
【０００５】  本考案の通気性免震フロアは、角パイプ又は軽量形鋼を升目状に組み合わせて構成した角パイプベース枠体又は軽量形鋼ベース枠体に空洞付きパンチングプレートを取り付けて固定し、該パンチングプレートの上面に通気性床材を敷設し、角パイプの空洞部又は軽量形鋼空洞部及びパンチングプレートの空洞部に空調用送風を接続し、双方の通気孔より空調用送風を可能とし、該空調用送風を通気性床材表面より吐出するように構成したことを特徴とし、角パイプベース枠体又は軽量形鋼ベース枠体を保持プレートで保持し、該保持プレートが支持脚によって支持され、該保持プレートと該支持脚との間に免震ユニットが配置されていることを特徴とし、交差する角パイプの双方に切欠部が形成され、該切欠部が相互に組合わされて角パイプベース枠体を構成したことを特徴とし、軽量形鋼ベース枠体が連結部材によって連結された軽量形鋼で構成されていることを特徴とし、角パイプを升目状に組み合わせて構成した角パイプベース枠体及び空洞付きパンチングプレートを鋼製又は軽金属又はプラスチック又は木製で構成したことを特徴とし、パンチングプレートコーナー部に固定座金を嵌着して固定ネジを角パイプに締めつけることにより、隣接する空洞付きパンチングプレートを相互に係止するように構成したことを特徴とし、且つ、角パイプ又は軽量形鋼を升目状に組み合わせて構成した角パイプベース枠体又は軽量形鋼ベース枠体に穴付きベニヤ板を取り付けて固定し、該穴付きベニヤ板の上面に通気性床材を敷設し、角パイプの空洞部又は軽量形鋼空洞部に空調用送風を接続し、穴付きベニヤ板の通気孔より空調用送風を可能とし、該空調用送風を通気性床材表面より吐出するように構成したことを特徴とする通気性免震フロアを提供する。
【考案の効果】
【０００６】  以上説明したように本考案に係る通気性免震フロアによれば、天井の空調吹出口や天井裏のダクトが不要となり、コストを低減し、空間を広く利用することができ、床面からのムラの無い吹出しとなるので従来のような空調時の強い空気流を感じることがなく、また、本考案の通気性免震フロアでは配線ケーブル等を床下へ収納することができる。
【図面の簡単な説明】
【０００７】
【図１】  本考案に係る通気性免震フロアの部分断面図である。
【図２】  本考案に係る通気性免震フロアの部分斜視図である。
【図３】  組立て角パイプの分解斜視図である。
【図４】  ベース枠体に取付けた通気性免震フロアの部分斜視図である。
【図５】  軽量形鋼ベース枠体に取付けた通気性免震フロアの部分斜視図である。
【図６】  連結部品の取付説明図である。
【図７】  連結部品の取付説明図である。
【図８】  穴付きベニヤ板を用いた通気性免震フロアの部分断面図である。
【図９】  穴付きベニヤ板を用いた通気性免震フロアの部分断面図である。
【考案を実施するための形態】
【０００８】  図１乃至図４に示すように、角パイプ３０を升目状に組み合わせて構成した角パイプベース枠体３に空洞付きパンチングプレート２０を取り付けて固定し、該パンチングプレート２０の上面に通気性床材１０を敷設し、角パイプ３０の空洞部３０１及びパンチングプレートの空洞部２１に空調用送風を接続し、双方の通気孔２２及び通気孔３１より空調用送風を可能とし、該空調用送風を通気性床材１０の表面より吐出するように構成されている。
【０００９】  図１に示すように、角パイプベース枠体３を免震ユニット５０で保持し、該免震ユニット５０はマーブル部材５３によって支持され、地震発生時に免震機能を生じるように配置されている。
【００１０】  図２及び図４に示すように、交差する角パイプ３０，３０の双方に切欠部３２，３２が形成されており、該切欠部３２，３２が相互に組合わされて角パイプベース枠体３が構成されている。
【００１１】  図２乃至図４に示すように、角パイプ３０を升目状に組み合わせて構成した角パイプベース枠体３及び空洞付きパンチングプレート２０は鋼製又は軽金属で構成されている。
【００１２】  図１に示すようにパンチングプレートコーナー部２０１の係止部２３１に固定座金２３を嵌着して固定ネジ２４を角パイプ３０に締めつけることにより、隣接する空洞付きパンチングプレート２０を相互に係止することができる。
【００１３】  前記せるように、隣接する空洞付きパンチングプレート２０を相互に平面状に固定した上に通気性床材１０を敷設する。
【００１４】  図１に示すように、角パイプベース枠体３を免震ユニット５０で保持し、該免震ユニット５０はコンクリート不下面７０によって支持され、該免震ユニット５０はレベルアンカーによってレベル調整されてコンクリート床面７０に固定されている。
【００１５】  免震ユニット５０は、先に本出願人が特許出願している公知の免震ユニット５０を援用しており、下側皿部材と上側皿部材間に介在しているマーブル部材５３が地震発生時に移動し、且つ、振動が治まった時点で元の位置に復元するように構成されている。
【００１６】  図５に示すように、軽量形鋼８１によって形成される軽量形鋼ベース枠体３１１に空洞付きパンチングプレート２０を取り付けて固定し、パンチングプレート２０の上面に通気性床材１０を敷設し、軽量形鋼ベース枠体３１１の空洞部及びパンチングプレートの空洞部２１に空調用送風を接続し、双方の通気孔２２及び通気孔３１より空調用送風を可能とし、該空調用送風を通気性床材１０の表面より吐出するように構成されている。
【００１７】  空調用送風は、角パイプ３０の空洞部３０１又は軽量形鋼及びパンチングプレートの空洞部２１の前面に渡って均等圧で送風されるので、双方の通気孔３１及び通気孔２２よりムラなく空調用送風を可能とし、該空調用送風を通気性床材１０の表面より吐出するように構成されている。
【００１８】  図６に示すように、軽量形鋼８１への連結部品８の嵌着は図中矢印のように押圧して取付けることができ、連結部品８には空洞部８２が形成されており、通気性床材１０への通気を可能にしている。
【００１９】  図７では角パイプ３０を連結する場合の他の連結部品９の実施例を示しており、同様に空洞部９１を有しており、連結部品先端を各パイプ３０へ差し込んで角パイプベース枠体３を形成することができる。
【００２０】この連結形状でも角パイプ間の通気性が保たれる構造になっている。
【００２１】  図８乃至図９に示す実施例では、穴付きベニヤ板を用いた実施例が示されている。
【００２２】  角パイプ３０又は軽量形鋼８１を升目状に組み合わせて構成した角パイプベース枠体３又は軽量形鋼ベース枠体３１１に穴付きベニヤ板４００を取り付けて固定し、該穴付きベニヤ板４００の上面に通気性床材１０が敷設されており、角パイプ３０の空洞部又は軽量形鋼空洞部に空調用送風を接続し、穴付きベニヤ板４００の通気孔２２より空調用送風を可能とし、該空調用送風を通気性床材１０の表面より吐出するように構成されている。
【産業上の利用可能性】
【００２３】  本考案は、以上説明したような構成であるので、ＯＡフロアシステム等に使用する場合従来型天井吹出空調のように室内にいる人に空気流を強く感じさせることもなく、室内の空気をかき混ぜるようなこともなく、ダクト工事や天井工事などのコストを削減することができる。
【符号の説明】
【００２４】  １０  通気性床材
２０  空洞部付きパンチングプレート
２０１  パンチングプレートコーナー部
２１  空洞部
２２  通気孔
２３  固定座金
２３１  座金係止部
２４  固定ネジ
３  角パイプベース枠体
３０  角パイプ
３００  ダクト兼根太
３０１  空洞部
３１１  軽量形鋼ベース枠体
３１  通気孔
３２  切欠部
４０  保持プレート
４００  穴付きベニヤ板
５０  免震ユニット
５１  上側皿部材
５２  下側皿部材
５３  マーブル部材
６０  支持脚
６１  ベースプレート
６２  レベルアンカー
７０  コンクリート床面
８  連結部品
８１  軽量形鋼
８２  空洞部
９  連結部品
９１  空洞部
Ｗ  送風方向
【図１】
0003218981.tif 000003
【図２】
0003218981.tif 000004
【図３】
0003218981.tif 000005
【図４】
0003218981.tif 000006
【図５】
0003218981.tif 000007
【図６】
0003218981.tif 000008
【図７】
0003218981.tif 000009
【図８】
0003218981.tif 000010
【図９】
0003218981.tif 000011